(57)【要約】【目的】複連秤量装置の前段に設けられた複連助走コンベアにおいて、各助走コンベアの高さの調節を容易に行なえるようにする。【構成】複連助走コンベア１は、被測定物を所定方向に搬送しながら計量する秤量装置３を複数並設した複連秤量装置２の前段に設けられ、共通のモータ１２に駆動される共通の駆動軸１１に複数の助走コンベア１０が設けられたものである。複数の助走コンベア１０は、駆動軸１１を中心として従動ローラ１５側が移動可能である。各助走コンベア１０ごとに、従動ローラ１５側の高さを高さ調節手段２２で調節できる。高さ調節手段２２は、助走コンベア１０に設けられた支持板２３と、高さが調節可能で支持板２３に当接する調節部材２５を有する。以上の構成によれば、支持板２３に形成された透孔２４から工具を挿入し、調節部材２５を操作して高さを調整できる。【選択図】図３
2004018237.tif 000002
【特許請求の範囲】
【請求項１】
被測定物を所定方向に搬送しながら計量する秤量装置（３）を前記所定方向と交差する方向に複数並設してなる複連秤量装置（２）の前段に設けられ、前記各秤量装置に被測定物を送り込む複数の助走コンベア（１０）を備えた複連助走コンベア（１）において、
共通のモータ（１２）と、
前記モータによって駆動される共通の駆動軸（１１）と、
前記駆動軸に取り付けられた複数の駆動ローラ（１３）と、各駆動ローラに対応して設けられた複数の従動ローラ（１５）と、対応する前記駆動ローラと前記従動ローラに掛け回された複数のベルト（１６）を有し、前記駆動軸を中心として前記従動ローラ側が移動可能とされた複数の助走コンベア（１０）と、
前記各助走コンベアごとに設けられて各助走コンベアごとに前記従動ローラ側の高さを調節する高さ調節手段（２２）と、
を有する複連助走コンベア。
【請求項２】
前記高さ調節手段（２２）は、前記各助走コンベア（１０）に設けられた支持板（２３）と、所定位置に設けられて前記支持板に当接するとともに高さが調節可能な調節部材（２５）とを有することを特徴とする請求項１記載の複連助走コンベア。
【請求項３】
前記支持板（２３）には透孔（２４）が形成されており、前記支持板の下面に当接する前記調節部材（２５）の上端面には前記支持板の透孔から挿入した工具が係合する操作部（２６）が形成されている請求項２記載の複連助走コンベア。
【発明の詳細な説明】
【０００１】
【発明の属する技術分野】
本発明は、秤量部に搬送部を取り付けてなる秤量装置を複数台並べて構成した複連秤量装置の前段に設けられ、各秤量装置に被測定物を送り込むために複数のコンベアを並べて構成した複連助走コンベアに関するものである。
【０００２】
【従来の技術】
図４は、従来の複連秤量装置１００とその前段に設けられた複連助走コンベア２００の一例を示す平面図である。この複連秤量装置１００は、秤量部に搬送部を取り付けてなる秤量装置１０１を、搬送方向と直交する方向に複数台並べて構成されている。各秤量装置１０１において、搬送部が被測定物を搬送する間、秤量部がその重量を測定し、その結果に基づいて図示しない後段で被測定物の振り分け等の処理が行なわれる。
【０００３】
図４に示すように、複連秤量装置１００の前段には、複連助走コンベア２００が配置されている。複連助走コンベア２００は、複連秤量装置１００の各搬送部１０１に対応する複数の助走コンベア２０１を搬送方向と直交する方向に複数台並べて構成したものである。図４に示す従来の複連助走コンベア２００では、各助走コンベア２０１ごとに駆動用のモータ２０２が設けられていた。また、図５に示すように、各助走コンベア２０１は、それぞれ２箇所の支持機構２０３で支持されており、この支持機構２０３を調整することによって助走コンベア２０１全体の高さを調整していた。
【０００４】
助走コンベア２０１は、秤量装置１０１の搬送部に被測定物を運び込む機能を有しているが、助走コンベア２０１と秤量装置１０１の搬送部との間に落差があり、上記運び込みに際して被測定物が秤量装置１０１の搬送部に落下する状態となると、落下の衝撃で搬送部に振動が生じて重量の測定に支障が生じてしまう。このため、被測定物はなるべく搬送部に衝撃を与えずに静かに送り込む必要がある。具体的には、軽量の被測定物になると、例えば落差を１ｍｍ以下にしなければ秤量装置１０１の搬送部に有害な振動が生じて重量測定に支障が生じる場合もある。このため、前述した支持機構２０３を調整して各助走コンベア２０１の高さを調整し、隣接する秤量装置１０１の搬送部の高さと一致させる必要がある。
【０００５】
【発明が解決しようとする課題】
前述した複連秤量装置１００の複数の搬送部には、搬送部ごとに微妙な高さの違いがあり、すべての搬送部の高さが同一であるわけではない。従って、その前段にあって各搬送部に被測定物を送り込む複数の助走コンベア２０１の高さも一定でよいわけではなく、各搬送部に合わせてその高さを個々に調整する必要がある。
【０００６】
ところが、前述したように、従来の複連助走コンベア２００によれば、各助走コンベア２０１は各々別々のモータ２０２で駆動される独立した機構であり、各助走コンベア２０１ごとに各々２箇所の支持機構２０３で支持されており、この支持機構２０３を調整することによって各助走コンベア２０１ごとに全体として上下させて高さを調整していた。この高さの調整は、前述したように各搬送部ごとに異なる高さに合わせて小さな許容範囲内で行なわれる微妙な作業であるため、２箇所の支持機構２０３を一度に調整して行うことは非常に煩雑であり、複数の助走コンベア２０１ごとにかかる作業を行なう行なうのは作業効率の面でも問題があった。
【０００７】
また、従来の複連助走コンベア２００によれば、図５に示すように高さの調整機構２０３が装置の正面側（並設された複数の助走コンベア２０１が隣り合う面の側）にあり、複数の助走コンベア２０１が狭い間隔で並んだ状態においては、調整の操作がしにくいという問題があった。
【０００８】
本発明は、上述した問題点を解決するために為されたものであり、複連秤量装置の前段に設けられた複数の助走コンベアを備える複連助走コンベアにおいて、各助走コンベアの高さの調節を容易に行なえるようにすることを目的としている。
【０００９】
【課題を解決するための手段】
請求項１に記載された複連助走コンベア１は、被測定物を所定方向に搬送しながら計量する秤量装置３を前記所定方向と交差する方向に複数並設してなる複連秤量装置２の前段に設けられ、前記各秤量装置３に被測定物を送り込む複数の助走コンベア１０を備えた複連助走コンベア１において、共通のモータ１２と、前記モータ１２によって駆動される共通の駆動軸１１とを有し、さらに前記駆動軸１１に複数の助走コンベア１０が設けられたものである。これらの複数の助走コンベア１０は、前記駆動軸１１に取り付けられた複数の駆動ローラ１３と、各駆動ローラ１３に対応して設けられた複数の従動ローラ１５と、対応する前記駆動ローラ１３と前記従動ローラ１５に掛け回された複数のベルト１６を有し、前記駆動軸１１を中心として前記従動ローラ１５側が移動可能とされている。そして、前記各助走コンベア１０ごとに、各助走コンベア１０ごとに前記従動ローラ１５側の高さを調節する高さ調節手段２２が設けられている。
【００１０】
請求項２に記載された複連助走コンベア１は、請求項１記載の複連助走コンベアにおいて、前記高さ調節手段２２は、前記各助走コンベア１０に設けられた支持板２３と、所定位置に設けられて前記支持板２３に当接するとともに高さが調節可能な調節部材２５とを有することを特徴としている。
【００１１】
請求項３に記載された複連助走コンベア１は、請求項２記載の複連助走コンベアにおいて、前記支持板２３には透孔２４が形成されており、前記支持板２３の下面に当接する前記調節部材２５の上端面には前記支持板２３の透孔２４から挿入した工具が係合する操作部２６が形成されていることを特徴としている。
【００１２】
【発明の実施の形態】
本発明の実施の形態を図１〜図３を参照して説明する。本例の複連助走コンベア１は、複連秤量装置２の前段に設けられて複連秤量装置２の各秤量装置３に被測定物を送り込む手段である。
【００１３】
図１及び図２に示すように、複連秤量装置２は、複数台の秤量装置３を有している。各秤量装置３は、被測定物の搬送部４と、これを支持する秤量部５からなる。搬送部４は、一対のローラ６，６に掛け回したベルト７をモータ８で循環して移動させる構成である。秤量部５は搬送部４のベルト７よりも本体の幅が大きく、また搬送方向について搬送部４の半分以上の部分は秤量部５の本体から外方に突出して配置されている。そして、図１に秤量部５の一部を示すように、複数の秤量装置３は、搬送部４の突出方向が一つおきに逆になるように、かつ千鳥状になるように配置され、これによって複数の秤量装置３の各搬送部４が搬送方向について同一の位置で搬送方向と直交する方向に密に並ぶように構成されている。これによって、本例のようにコンベア幅よりも秤幅が大きいときでも省スペースが実現できる。
なお、図示しないが、複連秤量装置２の後段では計量結果に応じた被測定物の振り分け等の操作が行なわれる。
【００１４】
次に、図１及び図２に示すように、複連秤量装置２の前段には、前記各秤量装置３に被測定物を送り込む複数の助走コンベア１０を備えた複連助走コンベア１が設置されている。
この複連助走コンベア１は、共通のフレームに設けられた１本の駆動軸１１を共通に用いている。この駆動軸１１は一つの共通のモータ１２によって駆動される。この駆動軸１１には、複数の駆動ローラ１３が、複連秤量装置２の搬送部４のピッチに対応する所定間隔で取り付けられている。各駆動ローラ１３ごとに、一対のフレーム板１４，１４の一端部が駆動軸１１を中心に揺動可能となるように各駆動ローラ１３を挟んで駆動軸１１に取り付けられている。この一対のフレーム板１４，１４の他端部には各駆動ローラ１３に対応してそれぞれ従動ローラ１５が設けられている。そして、対応する駆動ローラ１３と従動ローラ１５にはベルト１６が掛け回されている。これによって、駆動軸１１及びモータ１２を共通とし、複連秤量装置２の各搬送部４に対応して駆動軸１１方向に沿って並設された複数の助走コンベア１０が構成される。
【００１５】
図３に示すように、各助走コンベア１０のフレーム板１４の従動ローラ１５の側には、支持部材としての支持ボルト２０が突出して設けられている。また、本装置の基体には、溝を有する受け部２１が固設されている。そして、助走コンベア１０は、支持ボルト２０を受け部２１の溝に係合させて略水平な状態に支持され、本装置の基体３０上に配置されている。支持ボルト２０と受け部２１は係脱可能であり、助走コンベア１０の従動ローラ１５の側を持ち上げれば支持ボルト２０は受け部２１から容易に外れる。
【００１６】
図３に示すように、各助走コンベア１０の従動ローラ１５の側には、助走コンベア１０の高さを調節する高さ調節手段２２が設けられている。この高さ調節手段２２においては、各助走コンベア１０のフレーム板１４の従動ローラ１５側に支持板２３が固設されている。支持板２３には、透孔２４が形成されている。また、本装置の基体３０の所定位置には、調節部材としての調節ボルト２５が基体３０のねじ孔に螺入自在に取り付けられ、固定手段としての固定ナット２７でゆるみ止めがされている。調節ボルト２５は、その頭部に操作部としての係合溝２６が形成されている。頭部は支持板２３の透孔２４よりも大きいので、支持板２３は調節ボルト２５の頭部の上に突き当たった状態で止まり、助走コンベア１０を調節ボルト２５で支持することができる。即ち、調節ボルト２５の頭部が支持板２３の透孔２４を突き抜けることはない。
【００１７】
支持板２３の下面を調節ボルト２５の頭部の上に突き当てた状態において、支持板２３の透孔２４からは調節ボルト２５の頭部の係合溝２６が視認できる。従って、支持板２３の透孔２４からドライバなどの工具を挿入して係合溝２６に係合させて調節ボルト２５を回転させることができる。調節ボルト２５を回転させることにより、調節ボルト２５は基体３０からの突出長さが変化し、支持板２３を介して助走コンベア１０の従動ローラ１５の側を持ち上げ、あるいは下降させ、これによって助走コンベア１０の終端部　（即ち従動ローラ１５の側の端部）の高さを調整することができる。従って、助走コンベア１０の終端部を、隣接する複連秤量装置２の搬送部４の高さに個々に適合した高さにすることができ、秤量装置３に対して被測定物を送り込む際に秤量装置３に衝撃を与えないようにすることができる。即ち、秤量の精度に影響を与えるような衝撃を伴う被測定物の運び込み（落下）を回避することができる。
【００１８】
この高さの調整操作は、複連助走コンベア１の上側から行なうことができ、従来のように装置の側面から行なう必要がないので作業がしやすい。また、高さの調整操作は、各助走コンベア１０ごとに、各々が対向している秤量装置３の実際の搬送部４の高さに合わせて個々に行なうことができる。
【００１９】
以上説明したように、本例の複連助走コンベア１は、共通の駆動軸１１に複数の助走コンベア１０の駆動ローラ１３が取り付けられ、従動ローラ１５の側は受け部２１に容易に取り外し可能な状態で支持された構成になっている。従って、駆動軸１１を装置の基体３０（具体的には軸受け部分）及びモータ１２等の駆動系から容易に外すことが出来る構造としておけば、駆動軸１１及び複数の助走コンベア１０を必要に応じて装置から外して他のものに交換することが可能となる。例えば、後段に配置する複連秤量装置２を、搬送部４の数やピッチが異なったものに交換した場合に、複連助走コンベア１を新たな複連秤量装置２に適合した他の複連助走コンベア１に簡単に交換することができる。即ち、助走コンベア１０の数やピッチが新たな複連秤量装置２に対応した構成である他の複連助走コンベア１に駆動軸１１ごと取り替えることができる。もちろん、当該他の複連助走コンベアは予め用意しておく必要がある。
【００２０】
【発明の効果】
本発明によれば、複連秤量装置の前段に設けられる複連助走コンベアにおいて、共通のモータと共通の駆動軸に複数の助走コンベアを設け、各助走コンベアにそれぞれ高さ調節手段を設けたので、各助走コンベアの高さの調節を個々に容易に行なうことができるという効果がある。
【図面の簡単な説明】
【図１】本発明の実施の形態の一例である複連助走コンベアの平面図である。
【図２】本発明の実施の形態の一例である複連助走コンベアの正面図である。
【図３】（ａ）は本発明の実施の形態の一例である複連助走コンベアの従動ローラ側の拡大正面図であり、（ｂ）は同複連助走コンベアの高さ調節手段の斜視図である。
【図４】従来の複連秤量装置の平面図である。
【図５】従来の複連秤量装置の正面図である。
【符号の説明】
１…複連助走コンベア、２…複連秤量装置、３…秤量装置、１０…助走コンベア、１１…駆動軸、１２…モータ、１３…駆動ローラ、１５…従動プーリ、２０…支持部材としての支持ボルト、２２…高さ調節手段、２３…支持板、２４…透孔、２５…調節部材としての調節ボルト、２６…操作部としての係合溝。
【図１】
2004018237.tif 000003
【図２】
2004018237.tif 000004
【図３】
2004018237.tif 000005
【図４】
2004018237.tif 000006
【図５】
2004018237.tif 000007